(57)【要約】【課題】製造コストが安価で、設置、植物の栽培管理が極めて容易であり、簡単に緑化壁を構築できる他、日除けとしての優れた機能を有する植栽装置を実現する。【解決手段】  相対向して並立する一対の植生保持板とこれら植生保持板をそれらの両端で支持する支柱と、前記一対の植生保持板の間に形成され前記植生保持板を登攀する植物の展張繁茂を可能とする植生空間と、を具え、前記植生保持板は多孔体で構成し、植生用の植物は地面に直接植え付けることができ、植物の生育管理が極めて容易な立壁植栽装置を実現して上記課題を解決する。【選択図】  図１
2008125389.tif 000002
【特許請求の範囲】
【請求項１】
相対向して並立する一対の植生保持板とこれら植生保持板をそれらの両端で支持する支柱と、前記一対の植生保持板の間に形成され前記植生保持板を登攀する植物の展張繁茂を可能とする植生空間と、を具え、前記植生保持板は多孔体で構成したことを特徴とする立壁植栽装置。
【請求項２】
請求項１記載の立壁植栽装置において、前記植生空間上端部と両側部は開口としたことを特徴とする立壁状植栽装置。
【請求項３】
請求項１記載の立壁植栽装置において、前記植生空間上端部と両側部には多孔体を取り付けたことを特徴とする立壁状植栽装置。
【請求項４】
請求項１又は請求項３いずれか記載の立壁植栽装置において、前記多孔体は格子又はメッシュ状その他の多孔体で構成したことを特徴とする立壁状植栽装置。
【請求項５】
請求項４記載の立壁植栽装置において、前記多孔体の上部の孔部はその下部の孔部より径の大きいものを用いることを特徴とする立壁状植栽装置。
【請求項６】
請求項１ないし５いずれか記載の立壁植栽装置において、一対の植生保持板の双方または一方に開口部を形成し、この開口部の周囲には隔壁を形成して開口部に植物が浸入しないように構成したことを特徴とする立壁状植栽装置。
【請求項７】
請求項１ないし６いずれか記載の立壁植栽装置において、前記植生空間の下部は開口として地面に植栽した植物を植生空間内に植生させるようにしたことを特徴とする立壁状植栽装置。
【請求項８】
請求項７記載の立壁植栽装置を地面に直接に設置し、立壁植栽装置の植生空間の底部に露出する地面に植物を植え付けてなる立壁植栽構造。
【発明の詳細な説明】
【技術分野】
【０００１】
本願発明は、建造物の壁面に沿って設置したり、あるいは従来の街路樹に替えて街路の
障壁として設置したり、また道路の分離帯として使用したり、さらには室内の区画壁とし
て使用する等、さまざまな利用が可能な立壁状植栽装置に関するものである。
【背景技術】
【０００２】
景観の向上といわゆるヒートアイランド現象の緩和策として建造物の屋上のみならず、今日では、壁面の緑化が提唱され、この壁面緑化のための様々な技術が提供されている。
壁面を緑化した場合、壁面からの日射熱の伝達量を軽減することで、建物内部に構成された居住空間の上昇温度を低減させることが可能となり、冷房負荷を軽減することが出来る。従って、建物の壁面緑化を実現することは、ヒートアイランド現象の緩和に寄与することになる。  また、壁面の緑化は無機質な壁面をヒトの眼に優しい景観に変えて自然の和みをあたえてくれる。
【０００３】
壁面緑化技術の一例として、壁面に沿って剛性を持ったフレームを構成し、このフレー
ムに、予め植物が植え込まれたマット状の植栽ユニットを嵌め込んで緑地を構成する技術がある。この技術では、フレームに植栽ユニットを嵌め込む際に所望のデザインを実現することが出来る。
【０００４】
また、他の壁面緑化技術として、外壁面にキー溝を形成すると共に養水分配管を設けて
おき、更に、前記キー溝に嵌まるキー部を備えた植栽容器ユニットを用意し、所望の植物を植え込んだ必要数の植栽容器ユニットをキー溝に取り付けて外壁を緑化する技術がある（例えば特許文献１参照）。この技術では、植栽容器に設けたフレームに植物のつるを巻き付けることで、植栽容器毎に完結した緑地を構成することが出来る。このため、異なる植物を植え込んだ複数種の植栽容器の中から選択して外壁に取り付けることで、外壁のデザインを設定することが出来る。
【０００５】
さら、容器に網部材を起立させておき、この網部材につる性植物巻き付けることで、容
器に植え込んだつる性植物の生育を促進させる技術も提案されている。この技術では、容器に車輪を取り付けて移動可能に構成し、この容器を部屋の窓付近、ベランダに置くことで、可動の日除けとして利用すると共に緑地面積の拡大をはかることが出来る。
【０００６】
なお、本願発明と関連する技術が次の文献において開示されている。
【特許文献１】特開２００５−２７８０４２号公報
【特許文献２】特開２００５−２６１２０８号公報
【特許文献３】特開２００５−１６０３８１号公報
【特許文献４】特開２００５−１４３４０６号公報
【特許文献５】特開２００４−２８３０７０号公報
【特許文献６】特開２００４−２４８５５０号公報
【特許文献７】特開２００２−３３５７６５号公報
【特許文献８】特開２００２−９７６５３号公報
【特許文献９】特開平０６−２６１６３３号公報
【特許文献２】特開平０９−２５２６５４号公報
【発明の開示】
【発明が解決しようとする課題】
【０００７】
しかしながら、上記の文献当記載の従来技術は、工事が大掛かりになり設置、撤去にも多額の費用を要する等の問題や取り扱いも容易でなくメンテナンスに難があるなどの不都合がある。  また、手軽に移動できて、室内外で簡単に緑化壁を構築したり、従来の街路樹に代って場所をとらずに使用できる植栽装置は存在しない。  本願発明に係る立壁状植栽装置は、このような従来技術における課題を解決するためになされたものである。
【課題を解決するための手段】
【０００８】
本願発明は、相対向して並立する一対の植生保持板とこれら植生保持板をそれらの両端で支持する支柱と、前記一対の植生保持板の間に形成され前記植生保持板を登攀する植物の展張繁茂を可能とする植生空間と、を具え、前記植生保持板は多孔体で構成した立壁植栽装置を提供して上記従来の課題を解決しようとするものである。
【０００９】
上記の立壁植栽装置において、前記植生空間上端部と両側部は開口とする構成となすことがある。
【００１０】
また、上記の立壁植栽装置において、前記植生空間上端部と両側部には多孔体を取り付けた構成となすことがある。
【００１１】
さらに、上記いずれか記載の立壁植栽装置において、前記多孔体は格子又はメッシュ状その他の多孔体で構成することがある。
【００１２】
またさらに、上記の立壁植栽装置において、前記多孔体の上部の孔部はその下部の孔部より径の大きいものを用いる構成となすことがある。
【００１３】
また、上記いずれか記載の立壁植栽装置において、一対の植生保持板の双方または一方に開口部を形成し、この開口部の周囲には隔壁を形成して開口部に植物が浸入しないように構成することがある。
【００１４】
さらに、上記いずれか記載の立壁植栽装置において、前記植生空間の下部は開口として地面に植栽した植物を植生空間内に植生させるように構成することがある。
【００１５】
そして本願発明は、上記いずれかの立壁植栽装置を地面に直接に設置し、立壁植栽装置の植生空間の底部に露出する地面に植物を植え付けるようにした立壁植栽構造を提供して上記従来の課題を解決しようとするものである。
【発明の効果】
【００１６】
本願発明は、次のような効果を奏する。
（１）  建造物の内外において、迅速容易に壁面を緑化できる。
（２）  大掛かりな工事を要しないので設置コスト、管理コストあるいは撤去コストも低廉である。
（３）  本願発明では、立壁緑化面はその表裏において植物が繁茂しているので、衝立のような使用が可能であり、室内外での区画材として多方面に使用できる。
（４）  街路樹に替えてあるいは目印としてガードレール代わりに使用することもできる。
（５）  本願発明を、夏季の窓辺に設置することによりカーテン代わりに使用して暑熱を有効に遮断できる。
（６）  常態は立壁状である本願発明を水平に若しくは傾斜させて設置することもでき、使用できる範囲が極めて広い。
【発明を実施するための最良の形態】
【００１７】
立壁植栽装置において、植物の展張繁茂を可能とする植生空間を構成する一対の植生保持板は、金属材、合成樹脂材、繊維材によるメッシュ状のもの、あるいは網状のもので形成し、植生保持板はそれぞれ枠体に張設する。
【００１８】
対向する各植生保持板の間隔は、植生する植物等によりさまざまとなりえるが、例えば登攀タイプの植物として一般的な「へデラ」、「つた」などの場合は１０ｃｍないし１５ｃｍ程度が望ましい。  「へデラ類」は２枚の壁面間を登攀する習性があるから各植生保持板の間隔を比較的狭くし、一方、「つた類」は端壁面を伝い登る習性があるから各植生保持板の間隔は比較的広く設定することができる。
【００１９】
各植生保持板とこれによる植生空間には、植物が展張繁茂して全体として緑化壁あるいは植生壁とも言える立壁が形成されるが、この植生保持板は植物が絡み易いあるいはある種の植物の付着根が自着しやすい形状に構成する。  このため、上記のように軽金属材、樹脂材による多孔板、格子状板あるいは椰子殻繊維による網状体などを使用するのが好ましい。
【００２０】
植生空間の上端部と両側部は開口、閉口、自由に設定しえるが、開口とする場合は植物の生育は早いが、端部に繁茂した植物を整形する必要がある。しかし、上端、側端とも枠体で規制されているから植物の刈り込み整形作業は極めて容易である。  そして、開口とする場合開口面に多孔体を取り付けることにより、へデラ類、つた類などの植物の定着生育を促進できる。また、前記植生空間上端部と両側部には多孔体を取り付けた構成となすこともよい選択の一つである。
【００２１】
なお、植生保持板に係る多孔体の上部の孔部はその下部の孔部より径の大きいものを用いるようにして、幼児等が容易に登れないようにして安全性を確保する。
【００２２】
また、一対の植生保持板の双方または一方に開口部を形成し、景観の変化、風通しの確保を図ることも可能である。この場合、開口部の周囲には隔壁を形成して開口部に植物が浸入しないように構成する。
【００２３】
さらに、植生空間の下部は開口として地面に直接植栽した植物を植生空間内に植生させるようにする。地面に直接植栽できるということは、植物の育成管理が極めて容易になることを意味している。このように、立壁植栽装置を地面に直接に設置し、立壁植栽装置の植生空間の底部に露出する地面への植物の植え付けを可能にすることにより、広い範囲で緑化壁を構築できる利点がある。すなわち、室内外で区画壁として種々な態様で使用でき、さらには、従来の街路樹に替えて使用できる。この場合、街路樹に比べて占有面積が小さくなるから歩行者を妨げることが少ない等のメリットがある。
【実施例】
【００２４】
図面に基づいて本願発明の１実施例を説明する。
図１は、立壁植栽装置Ａの斜視図である。  この立壁植栽装置Ａは、相対向して並立する一対の植生保持板１，２とこれら植生保持板１，２をそれらの両端で支持する支柱３と、前記一対の植生保持板１，２の間に形成され、前記植生保持板１，２を登攀する植物の展張繁茂を可能とする植生空間４と、を具えている。  植生保持板１，２はそれぞれ枠体Ｂ，Ｂに張設されていて、この実施例では前記支柱３は枠体Ｂの側端部により構成されている。
【００２５】
該実施例では、植生保持板１，２は多孔体としての金属網を採用していてこの金属網の下半部の網目は幼児などが足を掛けられない程度の大きさに形成されていて安全性に配慮した構成となっている。そして、植生保持板１，２の間隔、言い換えれば植生空間４の幅はへデラの植え付けを念頭に約１０ｃｍとなっており、へデラは両植生保持板１，２の間を反復しながら上方への登攀をなし植生空間４において展張繁茂し所望の植物壁が形成されることになる。
【００２６】
なお、図１において、５，５は枠体Ｂの台座であり、下部開口する植生空間４の下方において、台座Ｂ，Ｂ間の地面に「へデラ」等所望の植物を植え付けて生育させることになり、植物を地面で直接栽培することで維持管理が極めて容易になり、植物自体の生育も順調になる。
【００２７】
図２は、前記実施例に係る立壁植栽装置Ａの縦断面図であり、建造物Ｋの壁面近傍に設置した状態を示している。立壁植栽装置Ａの横断面図である図３に示すように植生保持板１，２に囲繞されて形成される植生空間４に植物Ｓを生育繁茂させて緑化壁を形成して建造物Ｋの壁面を覆うことになる。
【００２８】
図４は、立壁植栽装置Ａの他の実施例を示す斜視図である。  この実施例に係る立壁植栽装置Ａの基本的構成は前述の実施例とかわらないが、この実施例では植生空間４の頂部、側端部にも多孔体としての金属網または繊維網を張設した構成となっており、このため「へデラ」、「つた類」等の植物が繁茂した装置の外方に乱雑に伸長せず、全体が整然とした形状の緑化壁を実現できる。  また、この立壁植栽装置Ａの中央部には景観の向上、良好な風通しを実現するために開口部６が貫通形成されている。この開口部６の周囲は板材で囲繞されていて植物の浸入が防止されるようになっている。このような開口部の設置により、例えば建造物の窓辺の日当たりを損ねることがないメリットもある。
【００２９】
図５は、立壁植栽装置Ａのさらに他の実施例を示す正面図である。の実施例に係る立壁植栽装置Ａの基本的構成も前述の実施例とかわらないが、この実施例では、植生保持板１，２に開口ゲート７が形成されている。このため、この開口ゲート７を利用して、人その他が通行することが可能になり、緑化壁の適用範囲が極めて広範になり、例えば、建造物Ｋの出入り口近傍に設置しても建造物への出入りを妨げることがない。
【００３０】
立壁植栽装置Ａは窓辺の日除けとして使用できることは勿論であるが、日光を完全に遮蔽してしまうことはなく木洩れ日的に光を通すうえ風通しも良好であるから、日差し、通気に微妙な条件を要する植物や動物の成育の場で使用することができる。  また、温泉等の露天風呂の目隠しなどにも最適であり、その利用範囲は種々様々である。
【図面の簡単な説明】
【００３１】
【図１】立壁植栽装置の第１実施例に係る斜視図である。
【図２】同上立壁植栽装置の縦断面図である。
【図３】同上立壁植栽装置の横断面図である。
【図４】立壁植栽装置の第２実施例に係る斜視図である。
【図５】立壁植栽装置の第３実施例に係る正面図である。
【符号の説明】
【００３２】
Ａ．．．．．．．．立壁植栽装置
Ｂ．．．．．．．．枠体
１．．．．．．．．植生保持板
２．．．．．．．．植生保持板  
３．．．．．．．  支柱
４．．．．．．．．植生空間
５．．．．．．．．台座
６，７．．．．．．開口部
【図１】
2008125389.tif 000003
【図２】
2008125389.tif 000004
【図３】
2008125389.tif 000005
【図４】
2008125389.tif 000006
【図５】
2008125389.tif 000007